(57)【要約】【課題】放送受信装置において、不必要な電力消費を防止する。【解決手段】放送方式毎に、放送波を受信して放送コンテンツ信号の生成を行う放送受信部１２，１３を設ける。電力供給部２５は、放送受信部１２，１３等に対しての電力供給を行う。制御部２０は、電力供給部２５の動作の設定を行う。制御部２０は、放送受信部１２，１３の動作を制御して放送波に対する停波の判定を行い、停波と判定した放送波に対応する放送方式の放送受信部に対して電力供給を停止するように、電力供給部２５の動作を設定可能とする。停波と判定した放送波を受信するための放送受信部に対して電力供給を停止すれば、もはや使用しない放送受信部に対する電力供給が続けられて、無駄な電力消費が発生し続けてしまうことを防止することが可能となる。【選択図】        図１
2008028870.tif 000002
【特許請求の範囲】
【請求項１】
放送波を受信して放送コンテンツ信号の生成を行う放送方式毎に設けられた複数の放送受信部と、
前記放送受信部への電力供給を行う電力供給部と、
前記電力供給部の動作の設定を行う制御部とを有し、
前記制御部は、前記放送波に対する停波の判定を行い、停波と判定した放送波を受信して放送コンテンツ信号の生成を行う放送受信部に対し、電力供給を停止するように前記電力供給部の動作を設定可能とした
ことを特徴とする放送受信装置。
【請求項２】
前記制御部は、前記放送波を受信できない期間が予め設定した停波判定期間を経過したとき停波と判定する
ことを特徴とする請求項１記載の放送受信装置。
【請求項３】
前記制御部は、前記放送受信部を制御してチャネルスキャン動作を行い、受信可能なチャネルが検出されないとき、前記放送波を受信できないと判定する
ことを特徴とする請求項２記載の放送受信装置。
【請求項４】
前記制御部は、現在の日付が予め設定されている停波日以降であるとき停波と判定する
ことを特徴とする請求項１記載の放送受信装置。
【請求項５】
放送波を受信して放送コンテンツ信号の生成を行う放送方式毎に設けられた複数の放送受信部に対して、電力供給を行う電力供給工程と、
前記電力供給工程での動作の設定を行う制御工程とを有し、
前記制御工程は、前記放送波に対する停波の判定を行い、停波と判定した放送波を受信して放送コンテンツ信号の生成を行う放送受信部に対し、電力供給を停止するように、前記電力供給工程での動作を設定可能とした
ことを特徴とする放送受信方法。
【発明の詳細な説明】
【技術分野】
【０００１】
この発明は、放送受信装置と放送受信方法に関する。詳しくは、放送波に対する停波の判定を行い、判定結果に基づき電力供給を制御することで不必要な電力消費を防止できるようにしたものである。
【背景技術】
【０００２】
近年、テレビ放送では、高画質な映像や高音質の音声および種々の情報の提供等を行うためディジタル化が進展している。このようなテレビ放送のディジタル化に伴い、テレビ放送を受信する放送受信装置では、アナログ放送を受信する機能だけでなく、ディジタル放送を受信する機能が設けられている。
【０００３】
例えば、特許文献１の発明では、アナログ放送とディジタル放送を受信する機能が設けられた放送受信装置において、アナログ放送とディジタル放送で同一番組が放送されているときには、ディジタル放送の視聴が可能なことを通知し、アナログ放送の終了時には、ディジタル放送の放送チャネルに移行するようにメッセージ表示を行う、あるいは自動的に移行を行うことが開示されている。
【０００４】
【特許文献１】特開２００４−３２０４４９号公報
【発明の開示】
【発明が解決しようとする課題】
【０００５】
ところで、アナログ放送を受信する機能だけでなく、ディジタル放送を受信する機能が設けられている場合、アナログ放送の停波を考慮して放送受信装置を設計しないと、アナログ放送が停波されても、アナログ放送を受信するための不要な動作が行われてしまう。
【０００６】
例えば、使用しなくなった回路に対する給電が引き続き行われて、無駄な電力消費が行われたり、使用しない設定メニューや選局メニューが表示され続けて、ユーザに無用な混乱を生じさせる等の問題が生ずる。
【０００７】
また、アナログ放送の停波前であっても、アナログ放送を受信するための設備が撤去されてしまったり、既にディジタル放送の受信動作のみが行われてアナログ放送の受信動作が行われなくなっている場合にも、上述のような問題が生ずる。
【０００８】
そこで、この発明では、不必要な電力消費を防止できる放送受信装置および放送受信方法を提供するものである。
【課題を解決するための手段】
【０００９】
この発明の概念は、放送波に対する停波の判定を行い、停波と判定した放送波を受信するための放送受信部に対して電力供給を停止することで、不必要な電力消費を防止することにある。
【００１０】
この発明に係る放送受信装置は、放送波を受信して放送コンテンツ信号の生成を行う放送方式毎に設けられた複数の放送受信部と、放送受信部への電力供給を行う電力供給部と、電力供給部の動作の設定を行う制御部とを有し、制御部は、放送波に対する停波の判定を行い、停波と判定した放送波を受信して放送コンテンツ信号の生成を行う放送受信部に対し、電力供給を停止するように電力供給部の動作を設定可能としたものである。
【００１１】
また、この発明に係る放送受信方法は、放送波を受信して放送コンテンツ信号の生成を行う放送方式毎に設けられた複数の放送受信部に対して、電力供給を行う電力供給工程と、電力供給工程での動作の設定を行う制御工程とを有し、制御工程は、放送波に対する停波の判定を行い、停波と判定した放送波を受信して放送コンテンツ信号の生成を行う放送受信部に対し、電力供給を停止するように電力供給工程での動作を設定可能としたものである。
【００１２】
この発明おいては、チャネルスキャン動作を行い、受信可能なチャネルが検出されないとき、この放送波を受信できないと判定する。ここで、放送波を受信できない期間が予め設定した停波判定期間を経過したとき停波と判定する。また、現在の日付が予め設定されている停波日以降であるとき停波と判定する。停波と判定したときは、停波と判定した放送波に対応する放送方式の放送受信部に対して電力供給を停止するように、電力供給動作を設定可能としたものである。
【発明の効果】
【００１３】
この発明によれば、停波と判定したときは、停波と判定した放送波を受信して放送コンテンツ信号の生成を行う放送受信部に対し、電力供給を停止するように電力供給動作の設定が可能とされる。
【００１４】
このため、もはや使用しない放送受信部に対する電力供給が続けられて、無駄な電力消費が発生し続けてしまうことを防止することができる。
【発明を実施するための最良の形態】
【００１５】
以下、図を参照しながら、この発明の実施の一形態について説明する。図１は放送受信装置の機能ブロック図である。なお、図１では、例えばテレビジョン装置において、放送コンテンツの映像表示に用いられる機能ブロックのみを示しており、音声出力に関する機能ブロックは省略している。また、放送受信装置は、放送方式毎に設けられた複数の放送受信部を有している。例えば停波が予定されている地上アナログ放送の放送波を受信して放送コンテンツ信号を生成する放送受信部と、地上アナログ放送から切り替えられる地上ディジタル放送の放送波を受信して放送コンテンツ信号を生成する放送受信部を有している。
【００１６】
放送受信装置１０において、アンテナ１１で得られた受信信号ＲＦは、放送受信部１２，１３に供給される。放送受信部１２は、地上アナログ放送の放送波を受信して放送コンテンツ信号を生成するものである。放送受信部１２のチューナ１２１は、後述する制御部２０からの選局信号ＣＴtuaによって受信するチャネルが指示されたとき、この指示されたチャネルの信号を受信信号ＲＦから選局する処理を行い、得られた中間周波信号ＩＦを検波部１２２に供給する。検波部１２２は、中間周波信号ＩＦの検波を行うことで放送コンテンツ信号である映像信号Ｖaを生成してセレクタ１５に供給する。また、検波部１２２では、垂直ブランキング期間に電子番組表の情報信号Ｊaが重畳されているときには、この情報信号Ｊaを抽出して制御部２０に供給する。
【００１７】
放送受信部１３は、地上ディジタル放送の放送波を受信して放送コンテンツ信号を生成するものである。放送受信部１３のチューナ１３１は、後述する制御部２０からの選局信号ＣＴtudによってディジタル放送のチャネル（物理チャネル）が指示されたとき、この指示されたチャネルの信号を受信信号ＲＦから選局する処理を行い、得られたベースバンドＩＱ信号Ｓdを復調部１３２に供給する。復調部１３２はベースバンドＩＱ信号Ｓdに対して放送方式に応じたディジタル復調処理や誤り訂正、デインタリーブ処理、デスクランブル処理等を行い、トランスポートストリームＴＳを生成してデコーダ１３３に供給する。デコーダ１３３は、トランスポートストリームＴＳのフィルタリングを行い、種々の制御情報のパケットや選局する番組のパケットを抽出する。さらに、抽出した映像データのデコード処理を行い、放送コンテンツ信号である映像信号Ｖdを生成して映像処理部１６に供給する。また、デコーダ１３３は、電子番組表の情報等を示すパケットを抽出して、このパケットに含まれている情報信号Ｊdを制御部２０に供給する。
【００１８】
セレクタ１５には、外部機器から映像信号Ｖeを放送受信装置１０に入力するための外部入力端子１４が接続されている。セレクタ１５は、制御部２０から供給された選択信号ＣＴcに基づいて、放送受信部１２から供給された映像信号Ｖaあるいは外部入力端子１４から供給された映像信号Ｖeのいずれかを選択して映像信号Ｖsとして映像処理部１６に供給する。
【００１９】
映像処理部１６は、制御部２０から供給された制御信号ＣＴgに基づき、放送受信部１３から供給された映像信号Ｖdあるいはセレクタ１５から供給された映像信号Ｖsに対して、画質，コントラスト，輝度，色の濃さ，色あい等の調整を行う。また、映像処理部１６は、後述する表示部１７で対応可能な映像フォーマットに応じて、インタレース方式の映像信号をプログレッシブ方式の映像信号に変換するＩＰ変換や、画素数等を調整するスケーリング処理を行う。さらに、映像処理部１６は、メニュー表示を行うためのメニュー信号を生成して、メニュー信号および／または映像信号に基づいて、映像表示信号Ｖgを生成して表示部１７に供給する。例えば、映像信号に替えてメニュー信号を用いて映像表示信号Ｖgを生成することで、放送コンテンツの画面からメニュー画面に切り替える。あるいは映像信号とメニュー信号を所謂アルファブレンド処理して映像表示信号Ｖgを生成することで、放送コンテンツの画面上にメニュー画面を半透過的に表示させる。さらに、映像処理部１６は、電子番組表等の情報を表示するための情報表示信号を生成して、この情報表示信号に基づいた映像表示信号Ｖgの生成も行う。なお、メニュー信号や情報表示信号は、制御部２０からの制御信号ＣＴgに基づく指示よって映像処理部１６で生成する。
【００２０】
表示部１７は、液晶表示素子やプラズマディスプレイあるいは陰極線管等の表示素子を用いて構成されており、映像処理部１６から供給された映像表示信号Ｖgに基づいて表示素子を駆動して、放送コンテンツの映像や各種のメニュー画面および電子番組表等を表示させる。
【００２１】
制御部２０には、ユーザインタフェース部２１が接続されている。ユーザインタフェース部２１は、リモートコントロール装置３０から送信された信号を受信するリモートコントロール信号受信部や操作ボタンで構成されている。このユーザインタフェース部２１は、操作ボタンがユーザによって操作されたとき、操作されたボタンに応じた操作信号ＰＳを制御部２０に供給する。また、リモートコントロール装置３０から送信されたリモートコントロール信号を受信したとき、この受信したリモートコントロール信号を操作信号ＰＳとして制御部２０に供給する。
【００２２】
また、制御部２０には、不揮発性メモリ等で構成された記憶部２２が接続されている。記憶部２２は、放送受信装置を動作させるためのプログラムを記憶する。また記憶部２２は、ユーザ操作に基づいた設定状態や放送受信装置の製造工程で行われた種々の調整状態等を示す情報を設定情報として記憶する。さらに記憶部２２は、放送を受信して得られた情報信号Ｊa，Ｊd、例えば電子番組表を表示可能とするための情報や、ディジタル放送において所望のチャネルの番組を選局するための選局情報を記憶する。
【００２３】
制御部２０は、記憶部２２に記憶されているプログラムを実行して、記憶部２２に記憶されている種々の情報やユーザインタフェース部２１からの操作信号ＰＳに基づき、選局信号ＣＴtua，ＣＴtudや選択信号ＣＴcおよび制御信号ＣＴg等の生成を行うことで、放送受信装置１０の動作がユーザ操作に応じた動作となるように制御する。
【００２４】
電力供給部２５は、放送受信装置１０の各部に対して電力供給を行うためのものである。また、電力供給部２５は、制御部２０からの電力供給設定信号ＣＴpに基づき、電力供給動作の設定を行い、停波と判定した放送波を受信して映像信号の生成を行う放送受信部に対し、電力供給の停止を可能とする。例えば、上述のように地上アナログ放送の停波が予定されている場合、地上アナログ放送を受信するための放送受信部１２に対する電力供給を、電力供給設定信号ＣＴpに基づき停止可能とする。
【００２５】
図２は、離れた位置から放送受信装置１０の動作の切り替え等を行うためのリモートコントロール装置３０の外観を例示している。リモートコントロール装置３０には、種々の機能等が割り当てられたボタンが設けられている。例えば電源のオン／オフを行うための機能が割り当てられた電源ボタン３１１、チャネルが割り当てられた数字ボタン群３１２、入力切替ボタン３１３、チャネルアップ／ダウン機能が割り当てられたチャネルボタン３１４、音量のアップ／ダウン機能が割り当てられた音量ボタン３１５が設けられている。また、メニュー表示を行わせるためのＭＥＮＵボタン３１６、メニュー表示がなされたとき項目の選択や切り替え等を行うために用いる上下左右ボタン３１７とＯＫボタン３１８が設けられている。さらに、放送受信装置１０で受信可能な放送を切り替えるための放送切替ボタン３１９が設けられている。
【００２６】
次に、放送受信装置の動作について説明する。放送受信装置１０は、放送波の停波に対する動作モードとして、オートモードとマニュアルモードが設けられており、メニュー画面からいずれかのモードをユーザが選択可能とされている。
【００２７】
オートモードは、放送波の停波例えば地上アナログ放送に対する停波の判定を自動的に行い、停波と判定したときには、放送受信部１２に対して電力供給を停止するように電力供給部２５の動作を設定可能とするものである。また、停波と判定した放送に関するメニュー表示や選局動作を行わないものとする受信無効化設定を可能とするものである。
【００２８】
マニュアルモードは、無効設定状態と非無効設定状態のいずれかが選択可能とされている。無効設定状態とは、放送が停波しているか否かにかかわらず、この放送を受信する放送受信部への電力供給や、この放送に関するメニュー表示および選局動作を行わないものとするおのである。例えば、地上アナログ放送が停波しているか否かにかかわらず、地上アナログ放送を受信するための放送受信部１２に対して電力供給を停止するように電力供給部２５の動作を設定する。また、地上アナログ放送に関するメニュー表示や選局動作を行わないものとする。
【００２９】
非無効設定状態とは、放送が停波しているか否かにかかわらず、この放送を受信する放送受信部への電力供給や、この放送に関するメニュー表示および選局動作を行うものである。例えば、地上アナログ放送が停波しているか否かにかかわらず、地上アナログ放送を受信するための放送受信部１２に対して電力供給を行うように電力供給部２５の動作を設定する。また、地上アナログ放送に関するメニュー表示や選局動作を行わないものとする受信無効化設定を可能とする。
【００３０】
オートモードにおいて、制御部２０は、放送の受信状態やユーザの視聴動作、現在の日付等を利用して自動的に停波の判定を行う。また、オートモードでは、制御部２０の内部ステートとして、放送コンテンツの視聴が可能である放送有効状態と、放送コンテンツの視聴が不可能である放送無効状態を有している。ここで、制御部２０の内部ステートは、初期状態であるとき放送有効状態に設定されており、制御部２０は、視聴不能判定期間中に放送を検出できないときは、放送有効状態から放送無効状態に内部ステートを切り替える。また、放送を検出できるときは、内部ステートを放送有効状態に設定する。
【００３１】
視聴不能判定期間とは、放送コンテンツの視聴が不可能であるか否かを判別する期間である。この視聴不能判定期間中に放送が検出されないとき、制御部２０は放送コンテンツの視聴が不可能であると判定して、この放送に関するメニュー表示や選局動作が行われないように動作の設定を行う。
【００３２】
また、放送無効状態とされて、停波判定期間中に放送が検出されないとき、制御部２０は受信無効化設定を可能とする。停波判定期間とは、停波であるか否かを判別するための期間である。この停波判定期間中に放送が検出されないときは、停波であると判定して、受信無効化設定を実施するか否かのユーザ選択を行わせる。例えば、制御部２０は、受信無効化設定を実施するか否かを選択するメニュー画面を表示部１７に表示させる。ここで、制御部２０は、操作信号ＰＳに基づき、受信無効化設定を実施するユーザ操作が行われたと判別したとき、停波と判定された放送波を受信して映像信号を生成する放送受信部に対して、電力供給を停止するように電力供給部２５の設定を行う。また、停波と判定された放送波に関するメニュー表示や選局動作が行われないように動作の設定を行う。
【００３３】
視聴不能判定期間は、例えば１週間程度、停波判定期間は例えば1か月程度とする。なお、視聴不能判定期間や停波判定期間は、これらの期間に限られるものではなく、数か月単位等としてもよい。
【００３４】
放送の検出動作は、チャネルスキャン動作によって放送が行われているチャネルの検出を行い、検出結果に基づいて放送が行われているか否かを判別するものである。例えば制御部２０で放送受信部１２の動作を制御して、地上アナログ放送に対するチャネルスキャン動作を行う。ここで、１つ以上のチャネルが検出されたときは、地上アナログ放送が検出できたものとして処理する。なお、チャネルスキャン動作は、チャネルスキャン動作を行う放送が視聴されていないときに行う。また、ユーザが意図しない間にチャネル設定が変更されてしまうことがないように、スキャン結果が得られても、このスキャン結果に基づいてチャネル設定の変更を行わないものとする。また、内部ステートが放送無効状態であるとき放送が検出された場合は、放送有効状態に切り替える。
【００３５】
チャネルスキャン動作では、全局スキャン動作あるいは電子番組表を利用したスキャン動作を行う。例えば、日本では、地上アナログ放送においてＧ−ＧＵＩＤＥ（登録商標）と呼ばれる電子番組表の情報サービスが行われている。このため制御部２０は、放送受信部１２から供給された情報信号Ｊaに基づく電子番組表によって示されている放送局のスキャン動作を行う。また、電子番組表の情報サービスが行われていない国や地域では全局スキャン動作を行う。
【００３６】
オートモードにおいて、制御部２０は、内部ステートが放送有効状態であるか放送無効状態であるかに係らず、現在の日付が予め設定されている停波日以降となったときに停波であると判定して、上述のように受信無効化設定を実施するか否かのユーザ選択を行わせる。ここで、受信無効化設定を実施するユーザ操作が行われたときは、停波と判定された放送を受信するための放送受信部に対する電力供給を停止するように電力供給部２５の設定を行う。また、停波と判定された放送に関するメニュー表示や選局動作が行われないように動作の設定を行う。
【００３７】
停波日は、日付を用いるものとして、ユーザが停波日を自由に変更できるようにする。例えば、日本の場合には停波日として２０１１年７月２４日を設定する。また、具体的な停波日が決まっていない国および地域では非現実的な未来の日付、例えば２１００年１月１日などを初期値として設定するものとしてもよい。
【００３８】
受信無効化設定では、上述のように停波と判別した放送波を受信して映像信号を生成する放送受信部に対する電力供給を停止させる。また停波と判別した放送波に関する操作を無効とする。さらに停波と判別した放送波に関するメニュー表示等も行わないものとする。
【００３９】
例えば放送受信装置１０は、地上アナログ放送や地上ディジタル放送だけでなく、ＢＳ放送，ＣＳ１放送，ＣＳ２放送を受信できる場合、地上アナログ放送の受信無効化設定が行われていないとき、図３Ａに示すように、放送切替ボタン３１９が操作される毎に、・・・地上ディジタル放送，ＢＳ放送，ＣＳ１放送，ＣＳ２放送，地上アナログ放送，地上ディジタル放送・・・の順に受信する放送の切り替えを行う。また、地上アナログ放送の受信無効化設定が行われたとき、図３Ｂに示すように、・・・地上ディジタル放送，ＢＳ放送，ＣＳ１放送，ＣＳ２放送，地上ディジタル放送・・・の順に切り替えて、受信無効化設定が行われた地上アナログ放送のスキップを行う。
【００４０】
さらに、地上アナログ放送の受信無効化設定が行われたときは、放送受信部１２に対する電力供給や地上アナログ放送に関するメニュー表示を行わないものとする。また、ＥＰＧの切り替えの際に地上アナログ放送をスキップしたり、チャネルボタン３１４によってチャネルのアップ／ダウン操作が行われたとき地上アナログ放送のチャネルをスキップする。放送種別を地上アナログ放送に切り替えるボタンや地上アナログ放送についてのＥＰＧボタン、地上アナログ放送のダイレクト選局ボタン等が、放送受信装置１０やリモートコントロール装置３０に設けられているときは、これらのボタン操作を無効とする。
【００４１】
マニュアルモードにおいて、制御部２０は、放送の検出動作を行わないものとする。また、非無効設定状態が選択されているときは、地上アナログ放送に関する設定や選局メニュー等の表示、および放送受信部１２への電力供給も行う。このような非無効設定状態を設けることで、例えばＲＦリピータ等を用いて店舗内の館内放送等を行い、この館内放送を放送受信部１２で受信するようにシステムが構成されている場合、地上アナログ放送の停波後と判断されるような状況となっても、引き続き館内放送を正しく行うことができる。
【００４２】
さらに、マニュアルモードで無効設定状態が選択されているとき、制御部２０は受信無効化設定を行う。このように、マニュアルモードで受信無効設定を行うことで、既に地上ディジタル放送が受信可能であり地上アナログ放送の利用価値がないとユーザが判断したときは、アナログ放送停波前と判断されるような状況であっても、ユーザが不要と判断した機能を無効とすることができるので、消費電力を削減できる。また操作性の向上も図ることができる。
【００４３】
次に、図４に示すフローチャートを用いて、地上アナログ放送に対する受信無効化処理動作について、オートモードとマニュアルモードが設けられている場合を説明する。
【００４４】
ステップＳＴ１で制御部２０は、オートモードに設定されているか否かを判別する。ここで、制御部２０は、オートモードに設定されているときステップＳＴ２に進み、マニュアルモードに設定されているときはステップＳＴ１３に進む。
【００４５】
ステップＳＴ２で制御部２０は、放送受信部１２を制御して地上アナログ放送の検出動作を行い、地上アナログ放送を検出できないときはステップＳＴ３に進み、地上アナログ放送を検出できたときはステップＳＴ８に進む。
【００４６】
なお、放送の検出動作が行われてから次の検出動作が行われるまでの期間中に、ユーザが地上アナログ放送の視聴を行った場合は、次の検出動作で地上アナログ放送が検出されたものとする処理を行い、チャネルスキャン動作は行わないものとする。このように、ユーザが地上アナログ放送の視聴を行った場合は地上アナログ放送が行われていることが明らかであるので、不要なチャネルスキャン動作を防止することができる。
【００４７】
ステップＳＴ３で制御部２０は、放送無効状態であるか否かの判別を行い、放送無効状態でないときはステップＳＴ４に進む。また、放送無効状態であるときはステップＳＴ６に進む。
【００４８】
ステップＳＴ４で制御部２０は、放送の未検出状態が視聴不能判定期間を経過したか否かを判別する。ここで、未検出状態が視聴不能判定期間を経過しているときはステップＳＴ５に進み、視聴不能判定期間を経過していないときはステップＳＴ１０に進む。
【００４９】
ステップＳＴ５で制御部２０は、放送無効状態への切り替え処理を行う。この切り替え処理において、制御部２０は映像処理部１６を制御して表示部１７の画面上に、放送無効状態への切り替え通知を表示させる。また、制御部２０は、放送有効状態から放送無効状態への切り替えを行ってステップＳＴ６に進む
ステップＳＴ６で制御部２０は、放送の未検出状態が停波判定期間を経過したか否かを判別する。ここで、未検出状態の期間が停波判定期間を経過しているときはステップＳＴ７に進み、未検出状態が停波判定期間を経過していないときはステップＳＴ１０に進む。
【００５０】
ステップＳＴ７で制御部２０は、ユーザに受信無効化設定を行うか否かの選択を行わせる。ここで、受信無効化設定を実施するユーザ操作が行われたときはステップＳＴ１４に進み、受信無効化設定を実施するユーザ操作が行われないときには受信無効化処理動作を終了する。
【００５１】
ステップＳＴ２で地上アナログ放送が検出されてステップＳＴ８に進むと、制御部２０は、放送無効状態であるか否かの判別を行い、放送無効状態であるときはステップＳＴ９に進む。また、放送有効状態であるときはステップＳＴ１０に進む。
【００５２】
ステップＳＴ９で制御部２０は、放送有効状態への切り替え処理を行う。この切り替え処理において、制御部２０は映像処理部１６を制御して表示部１７の画面上に、放送有効状態への切り替え通知を表示させる。また、制御部２０は、放送無効状態から放送有効状態への切り替えを行ってステップＳＴ１０に進む。
【００５３】
ステップＳＴ１０で制御部２０は、現在の日付が停波日以降であるか否かを判別する。ここで、現在の日付が停波日以降であるときはステップＳＴ１１に進む。また、現在の日付が停波日よりも前であるときは受信無効化処理動作を終了する。
【００５４】
ステップＳＴ１１で制御部２０は、ユーザに受信無効化設定を行うか否かの選択を行わせる。ここで、受信無効化設定を実施するユーザ操作が行われないときにはステップＳＴ１２に進み、受信無効化設定を実施するユーザ操作が行われたときはステップＳＴ１４に進む。
【００５５】
ステップＳＴ１２では、現在の日付が停波日以降であっても受信無効化設定を行わないことから、停波日の更新を行って受信無効化処理動作を終了する。
【００５６】
動作モードがマニュアルモードに設定されているため、ステップＳＴ１からステップＳＴ１３に進むと、制御部２０はマニュアルモードが無効設定状態であるか否かを判別する。ここで、無効設定状態のときはステップＳＴ１４に進み、非無効設定状態であるときは受信無効化処理動作を終了する。
【００５７】
ステップＳＴ１４で制御部２０は、受信無効化設定を行う。受信無効化設定では、上述のように地上アナログ放送を受信するための放送受信部１２への電力供給を停止する。また、地上アナログ放送に関する設定・選局メニュー等の表示等も行わないものとする。
【００５８】
このような受信無効化処理動作を所定間隔、例えば日毎に行うものとすれば、地上アナログ放送が停波されたときや、ユーザが地上アナログ放送の番組を視聴しなくなったとき、および現在の日付が停波日となったときには、自動的に受信無効化設定を行うか否かの指示が表示されるので、視聴しないあるいは視聴できない放送に対して受信無効化設定を行うことで、不必要な電力消費を防止できる。また、不必要なメニュー表示等が表示されることを防止できる。
【００５９】
また、停波の判定は、停波日の情報だけでなく、放送の受信状態やユーザの視聴動作等を利用して自動的に行われる。このため、停波日が決定していない国や地域および停波日の情報の有無にかかわらず停波の判定を行うことができるので、適用範囲を広くすることができる。
【００６０】
なお、上述の形態では地上アナログ放送の停波が予定されている場合について説明したが、他の放送に対して、上述の地上アナログ放送の場合と同様な処理を行うことで、地上アナログ放送に限らず、他の放送波が停波される場合にも、不必要な電力消費が生じてしまうことを防止できる。
【図面の簡単な説明】
【００６１】
【図１】放送受信装置の機能ブロック図である。
【図２】リモートコントロール装置の外観を示す図である。
【図３】放送種別の切り替え動作を示す図である。
【図４】受信無効化処理動作を示すフローチャートである。
【符号の説明】
【００６２】
１０・・・放送受信装置、１１・・・アンテナ、１２，１３・・・放送受信部、１４・・・外部入力端子、１５・・・セレクタ、１６・・・映像処理部、１７・・・表示部、２０・・・制御部、２１・・・ユーザインタフェース部、２２・・・記憶部、２５・・・電力供給部、３０・・・リモートコントロール装置、１２１，１３１・・・チューナ、１２２・・・検波部、１３２・・・復調部、１３３・・・デコーダ
【図１】
2008028870.tif 000003
【図２】
2008028870.tif 000004
【図３】
2008028870.tif 000005
【図４】
2008028870.tif 000006